(57)【要約】      （修正有）【課題】ネットワークに接続していないコンピュータに対して、遠隔操作を行うことができる遠隔操作用音声信号対応コンピュータ入力装置を提供する。【解決手段】音声信号を携帯電話網またはインターネット網を経由して伝送し、音声信号をマウス信号、キーボード信号に変換する手段により遠隔地にあるコンピュータを制御する遠隔操作用音声信号対応コンピュータ入力装置を構成している。【選択図】図３
2012185698.tif 000002
【特許請求の範囲】
【請求項１】
音声信号の入力に応じてマウス信号および／またはキーボード信号を出力する事を特徴とするコンピュータ入力装置。
【請求項２】
請求項１に記載のコンピュータ入力装置において
前記音声信号はＤＴＭＦ信号であることを特徴とするコンピュータ入力装置。
【請求項３】
請求項１項に記載のコンピュータ入力装置において
前記音声信号は、基地局との間で音声通信をおこなう音声通信装置が出力する音声信号を特徴とするコンピュータ入力装置 。
【請求項４】
請求項１に記載のコンピュータ入力装置と基地局と音声信号通信を行って前記コンピュータ入力装置に前記音声信号を出力する音声信号通信装置とを備えるコンピュータ遠隔操作システム。
【請求項５】
請求項１項に記載のコンピュータ入力装置において
音声通信装置は、コンピュータのモニタ画面を撮影可能な撮影部を有していることを特徴とするコンピュータ遠隔操作システム。
【発明の詳細な説明】
【技術分野】
【０００１】
本発明は、遠隔地にあるパーソナルコンピュータなどの機器を操作するマウスおよびキーボードなどの入力装置に関する。
【背景技術】
【０００２】
近年、パーソナルコンピュータとネットワーク環境の発達により、保守管理やトラブル対応などのために、遠隔地にあるコンピュータを遠隔操作（リモートコントロール）する技術は広く普及しつつある。図１に、ネットワーク環境を利用してのリモートコントロールの概念図を示す。図において、遠隔操作される側のコンピュータ（リモートサーバ側）は、あらかじめ遠隔操作用としてインストールされた設定に基づき、遠隔操作する側のコンピュータ（リモートクライアント側）からのアクセスをＬＡＮ、インターネットを通して受付ける。受付けられたアクセスが正しい場合にリモートサーバ側は、リモートクライアント側のキーボード、マウスの操作を許可する。リモートサーバ側からの許可を得て、リモートクライアント側は、リモートサーバ側を遠隔操作する。遠隔操作することで、コンピュータ操作者はリモートクライアントの場所からリモートサーバ側のコンピュータを操作することが可能となり、わざわざ遠隔地にあるリモートサーバの場所に移動する必要がなくなる。
【先行技術文献】
【特許文献】
【０００３】
【特許文献１】特開平１１−０８５５６１
【発明の概要】
【発明が解決しようとする課題】
【０００４】
しかしながら、従来の遠隔操作では、あらかじめリモートサーバ側に遠隔操作用のインストール作業をしておく必要があった。また、ネットワークとの接続が必要なため、悪意のある不正アクセス（ウィルスプログラムなど）からの被害を受ける可能性があるという欠点もあった。
【０００５】
本発明は、以上のような従来の問題点に鑑み、遠隔操作用のインストール作業がなく、またネットワークやインターネットなどに接続しなくとも遠隔操作が可能なコンピュータ入力装置を提供する事を目的としている。
【課題を解決するための手段】
【０００６】
上記目的を達成するために、本発明は遠隔操作用音声信号の入力に応じてコンピュータのマウス信号および／またはキーボード信号を出力する部分で、遠隔操作用音声信号対応コンピュータ入力装置を構成している。
【発明の効果】
【０００７】
上述したように本発明では、次に列挙する効果が得られる。
（１）遠隔操作されるコンピュータは、キーボード信号、マウス信号のみの標準的な入力装置として操作されるため、あらかじめインストール作業をしておかなくても遠隔操作を行うことができる。
【０００８】
（２）遠隔操作されるコンピュータは、キーボードケーブルとマウスケーブルのどちらかまたは両方が接続されるだけであるため、ネットワークなどからの不正なプログラム（ウィルスプログラムなど）からの被害を防ぐ事ができる。
【図面の簡単な説明】
【０００９】
【図１】従来からの遠隔操作（リモートコントロール）の概念図である。
【図２】本発明の遠隔操作（リモートコントロール）の概念図である。
【図３】本発明の基本ブロック図である。
【図４】本発明のフローチャートである。
【図５】本発明の実施形態の基本構成図である。
【図６】本発明の別の実施形態の基本構成図である。
【発明を実施するための形態】
【００１０】
以下、本発明の実施の形態を図に基づいて説明する。
図２は、本装置の基本原理図である。コンピュータ操作者は、電話回線網やインターネット網を利用し、携帯端末と本装置を使用して、保守管理やトラブル対応のためにリモートサーバ側のコンピュータを操作することが可能となる。
【００１１】
携帯端末は、カメラ機能付きのもの方がリアルタイムに画面の変化を見ることができるので望ましい。
【００１２】
音声信号とは、音声帯域でのデジタル信号を含む信号のことである。
【００１３】
遠隔操作用音声信号は携帯端末の音声信号として通信可能な信号であり、現在ではＤＴＭＦなどに代表される信号のことである。
【００１４】
図３は、マウス信号とキーボード信号を出力するコンピュータ入力装置のブロック図である。カメラ付携帯端末１２からの遠隔制御用音声信号が入力されると音声信号解析部１３Ａは、その信号を解析して音声信号に相当するデータをコントロールＣＰＵ１３Ｂへ送る。コントロールＣＰＵは、送られてきたデータを処理してマウス信号発生部１３Ｃまたはキーボード信号発生部１３Ｄへ送る。マウス信号発生部１３Ｃは、コントロールＣＰＵ１３Ｂから送られてきた信号に相当するマウス信号をコンピュータのマウス入力へ送信する。キーボード信号発生部１３Ｄは、コントロールＣＰＵ１３Ｂから送られてきた信号に相当するキーボード信号をコンピュータのキーボード入力へ送信する。
【００１５】
図３において、マウス信号のみのコンピュータ入力装置の場合は、キーボード信号発生部１３Ｄは省略される。
【００１６】
図３において、キーボード信号のみのコンピュータ入力装置の場合は、マウス信号発生部１３Ｃは省略される。
【００１７】
図４は、遠隔操作用音声信号対応コンピュータ入力装置１３でのフローチャートである。
【００１８】
図５は、本発明装置の実施形態の基本構成図である。
【００１９】
遠隔操作用音声信号対応コンピュータ入力装置１３は、携帯端末２３からの音声信号を入力する機能を持ち、さらにコンピュータのマウス用コネクタ１４、キーボードコネクタ１５とケーブルにて接続される。
【００２０】
リモートクライアント側にて発生した音声信号は、携帯電話回線網またはインターネット網１１を通してリモートサーバ側のカメラ機能付携帯電話１２へ送られ、スピーカーやイヤホンを通して遠隔操作用音声信号対応コンピュータ入力装置１３へ送られる。
【００２１】
遠隔操作用音声信号対応コンピュータ入力装置１３は、送られてきた音声信号をコンピュータへのマウス信号、キーボード信号へ変換し、ケーブルを通してリモートサーバ側のコンピュータ２へ伝えられ、コンピュータ操作者１０はリモートサーバ側のコンピュータを操作することが可能となる。
【００２２】
リモートクライアント側のコンピュータ操作者１０は、電話回線網またはインターネット網１１を利用してリモートサーバ側のモニタ１の映像を取得する。
【００２３】
さらにコンピュータ操作者１０は、リモートクライアント側にてリモートサーバ側コンピュータの映像を見ながら、キーボード８やマウス９の操作に応じた音声信号を発する。
【００２４】
以上のコンピュータ入力装置を用いた場合、マウス信号とキーボード信号はリモートサーバ側コンピュータ２からみると入力のみのデバイスとなり、コンピュータ内部のデータがその信号にのって流出することはない。
【００２５】
また、マウス信号とキーボード信号は、あらかじめインストールされる追加のデバイスドライバ類を必要としないため、既に動作しているコンピュータ２を停止することなく遠隔操作を開始する事が可能となる。
【００２６】
マウスとキーボードは、コンピュータの入力装置として代表的な装置のことである。
【００２７】
マウス信号とは、マウスとコンピュータ間で通信するための信号のことである。
【００２８】
キーボード信号とは、キーボードとコンピュータ間で通信するための信号のことである。
【００２９】
図６は、本発明装置の別の実施形態の基本構成図である。
最初の実施形態と同じようにコンピュータ操作者１０は、リモートサーバ側のコンピュータを操作することが可能となるが、この実施形態では、リモートクライアント側にて操作、設置する機器が最初の実施形態とは異なり、表示機能付携帯端末１６となる。このように本発明は、制御する音声信号の規格を満足するだけで、リモートクライアント側の機器を限定する必要がなくなる。
【符号の説明】
【００３０】
１    リモートサーバ側モニタ
２    リモートサーバ側コンピュータ本体
３    リモートサーバ側キーボード
４    リモートサーバ側マウス
５    インターネット網などのインフラ
６    リモートクライアント側モニタ
７    リモートクライアント側コンピュータ本体
８    リモートクライアント側キーボード
９    リモートクライアント側マウス
１０  コンピュータ操作者
１１  携帯電話網またはインターネット網などのインフラ
１２  カメラ機能付携帯端末
１３  遠隔操作用音声信号対応コンピュータ入力装置
１４  コンピュータのマウス用コネクタ
１５  コンピュータのキーボード用コネクタ
１６  リモートクライアント側の表示機能付き携帯端末
【図１】
2012185698.tif 000003
【図２】
2012185698.tif 000004
【図３】
2012185698.tif 000005
【図４】
2012185698.tif 000006
【図５】
2012185698.tif 000007
【図６】
2012185698.tif 000008